(57)【特許請求の範囲】
【請求項１】
通信回線網を介して接続される公衆電話機、及びサービスを該公衆電話機のユーザに提供するサービス装置と、該サービス装置と接続され、位置情報を管理する位置情報管理センタからなる公衆電話位置情報利用システムであって、
前記公衆電話機は、
発呼時に電話機のＩＤを毎回異なる一時的なＩＤ´に変換する変換手段と、通信回線網を介して前記サービス装置に通知するサービス装置通知手段とを有し、
前記位置情報管理センタは、
前記サービス装置からの依頼で、変換された一時的な前記ＩＤ´から前記公衆電話機のＩＤに逆変換する逆変換手段と、逆変換された該ＩＤを位置情報に変換し、前記サービス装置に送信する位置情報変換手段とを有し、
前記サービス装置は、
前記位置情報管理センタから取得した前記位置情報を利用したサービスを行うサービス提供手段を有することを特徴とする公衆電話機位置情報利用システム。
【請求項２】
通信回線網を介して接続される公衆電話機、及び、サービスを該公衆電話機のユーザに提供するサービス装置と、該サービス装置と接続され位置情報を管理する位置情報管理センタからなる公衆電話機位置情報利用システムであって、
前記公衆電話機は、
電話機内に蓄積された位置情報を毎回異なる一時的なビット列に変換する変換手段と、通信回線網を介し、前記サービス装置に通知するサービス装置通知手段とを有し、
前記位置情報管理センタは、
前記サービス装置からの依頼で、変換された前記一時的なビット列から前記公衆電話機の位置情報に逆変換し、前記サービス装置に送信する逆変換手段を有し、
前記サービス装置は、
前記位置情報管理センタから取得した前記位置情報を利用したサービスを行うサービス提供手段を有することを特徴とする公衆電話機位置情報利用システム。
【請求項３】
前記位置情報管理センタは、
前記サービス装置に直接接続される逆変換ユニット装置に置き換えられる請求項２記載の公衆電話機位置情報利用システム。
【請求項４】
前記公衆電話機は、
ユーザ識別情報やサービス種別や発呼先の情報等を蓄積するカードを挿入接続自在に形成し、該カードを接続することで前記サービス装置へ自動的に発呼及び位置情報の送信を行う手段を有し、
前記サービス装置は、
前記公衆電話機から送信された前記位置情報、前記カード内に蓄積されたユーザ識別情報やサービス種別等の情報を利用してサービスを行う手段を有する請求項１乃至３記載の公衆電話機位置情報利用システム。
【請求項５】
通信回線網を介して接続される公衆電話機、及び、サービスを該公衆電話機のユーザに提供するサービス装置と、該サービス装置と接続され、位置情報を管理する位置情報管理センタからなるシステムにおける公衆電話機位置情報利用方法において、
前記公衆電話機において、
発呼時に電話機のＩＤを毎回異なる一時的なＩＤ´に変換し、通信回線網を介して前記サービス装置に通知し、
前記位置情報管理センタにおいて、
前記サービス装置からの依頼で、変換された一時的な前記ＩＤ´から前記公衆電話機のＩＤに逆変換し、逆変換されたＩＤを位置情報に変換して、該サービス装置に送信し、
前記サービス装置において、
前記位置情報管理センタから得られた前記位置情報を利用して前記公衆電話機に対してサービスを提供することを特徴とする公衆電話機位置情報利用方法。
【請求項６】
通信網を介して接続される公衆電話機、及び、サービスを該公衆電話機のユーザに提供するサービス装置と、該サービス装置と接続され、位置情報を管理する位置情報管理センタからなるシステムにおける公衆電話機位置情報利用方法において、
前記公衆電話機において、
電話機内に蓄積された位置情報を毎回異なる一時的なビット列に変換し、通信回線網を介して前記サービス装置に通知し、
前記位置情報管理センタにおいて、
前記サービス装置からの依頼で、変換された前記一時的なビット列から前記公衆電話機の位置情報に逆変換して、前記サービス装置に送信し、
前記サービス装置において、
前記位置情報管理センタで逆変換された前記位置情報を利用して、サービスを提供することを特徴とする公衆電話機位置情報利用方法。
【請求項７】
前記一時的なビット列から前記公衆電話機の位置情報に逆変換する処理を、前記サービス装置に直接接続される逆変換ユニット装置に実行させる請求項６記載の公衆電話機位置情報利用方法。
【請求項８】
前記公衆電話機において、
ユーザ識別情報やサービス種別や発呼先の情報等を蓄積するカードを挿入接続自在に形成し、該カードを接続することで前記サービス装置へ自動的に発呼及び位置情報を送信し、
前記サービス装置において、
前記公衆電話機から送信された前記位置情報、前記カード内に蓄積されたユーザ識別情報やサービス種別等の情報を利用してサービスを行う請求項５乃至７記載の公衆電話機位置情報利用方法。
【請求項９】
通信回線網を介して接続される公衆電話機、及び、サービスを該公衆電話機のユーザに提供するサービス装置と、該サービス装置と接続され、位置情報を管理する位置情報管理センタからなる公衆電話位置情報利用システムにおいて、該公衆電話機に実行させる公衆電話位置情報利用プログラムを格納した記憶媒体であって、
発呼時に公衆電話機のＩＤを毎回異なる一時的なＩＤ´に変換する変換ステップと、
前記一時的なＩＤ´を前記通信回線網を介して前記サービス装置に通知するサービス装置通知ステップと、を有することを特徴とする公衆電話機位置情報利用プログラムを格納した記憶媒体。
【請求項１０】
通信回線網を介して接続される公衆電話機、及び、サービスを該公衆電話機のユーザに提供するサービス装置と、該サービス装置と接続され、位置情報を管理する位置情報管理センタからなる公衆電話機位置情報利用システムにおいて、該公衆電話機に実行させる公衆電話機位置情報利用プログラムを格納した記憶媒体であって、
公衆電話機内に蓄積された位置情報を毎回異なる一時的なビット列に変換する変換ステップと、
前記一時的なビット列を前記通信回線網を介し、前記サービス装置に通知するサービス装置通知ステップと、を有することを特徴とする公衆電話機位置情報利用プログラムを格納した記憶媒体。
【請求項１１】
通信回線網を介して接続される公衆電話機、及び、サービスを該公衆電話機のユーザに提供するサービス装置と、該サービス装置と接続され、位置情報を管理する位置情報管理センタからなる公衆電話機位置情報利用システムにおいて、該位置情報管理センタ装置に実行させる公衆電話機位置情報利用プログラムを格納した記憶媒体であって、
前記サービス装置からの依頼で、公衆電話機のＩＤから変換された毎回異なる一時的な前記ＩＤ´から前記公衆電話機のＩＤに逆変換する逆変換ステップと、
前記ＩＤを位置情報に変換し、前記サービス装置に送信する位置情報変換ステップと、を有することを特徴とする公衆電話機位置情報利用プログラムを格納した記憶媒体。
【請求項１２】
前記通信網を介して接続される公衆電話機、及び、サービスを該公衆電話機のユーザに提供するサービス装置と、該サービス装置に接続され、公衆電話機の位置情報を管理する位置情報管理センタからなる公衆電話機位置情報利用システムにおいて、該位置情報管理センタ装置に実行させる公衆電話機位置情報利用プログラムを格納した記憶媒体であって、
前記サービス装置からの依頼で、前記公衆電話機の位置情報から変換された毎回異なる一時的なビット列から前記公衆電話機の位置情報に逆変換し、前記サービス装置に送信する逆変換ステップを有することを特徴とする公衆電話機位置情報利用プログラムを格納した記憶媒体。
【請求項１３】
通信手段を有する発信固定端末と、端末の通信手段間に呼を設定する交換網と、該交換網に接続され、該発信固定端末の所在を表す位置情報を要求元に提供する位置情報管理センタからなる位置情報サービスシステムであって、
前記発信固定端末は、
前記交換網により呼設定されると、位置関連情報を暗号化する位置関連情報暗号化手段と、
前記位置関連情報暗号化手段により暗号化された暗号化位置関連情報を前記位置情報管理センタに送信する通信手段とを有し、
前記交換網は、
前記位置情報管理センタと前記発信固定端末との間に呼を設定し、該位置情報管理センタから該発信固定端末に位置情報が提供されると、該位置情報の提供に対する該発信固定端末への課金処理を行う課金手段を有し、
前記位置情報管理センタは、
前記発信固定端末から取得した暗号化位置関連情報を復号化する復号化手段と、
前記復号化手段により提供する位置情報を取得して、該位置情報を前記発信固定端末に送信する位置情報提供手段と、を有することを特徴とする位置情報サービスシステム。
【請求項１４】
通信手段を有する発信固定端末と、端末の通信手段間に呼を設定する交換網と、該交換網に接続され、該発信固定端末の所在を表す位置情報を要求元に提供する位置情報管理センタからなる位置情報サービスシステムであって、
前記発信固定端末は、
自装置にＩＣカードが挿入されると、該ＩＣカードのカードＩＤを取得して、前記交換網に送信するＩＤ送信手段と、
課金情報に基づいて、前記ＩＣカードの金額情報を更新する課金更新手段と、
前記交換網より呼設定されると、位置関連情報を暗号化する位置関連情報暗号化手段と、
前記位置関連情報暗号化手段により暗号化された暗号化位置関連情報を前記位置情報管理センタに送信する通信手段とを有し、
前記交換網は、
前記位置情報管理センタと前記発信固定端末との間に呼を設定し、該発信固定端末から前記カードＩＤを取得すると、該カードＩＤに対する認証を行い、認証結果を該発信固定端末に返却する認証手段とを有し、
前記位置情報管理センタは、
前記発信固定端末から暗号化位置情報とカードＩＤを取得する端末情報取得手段と、
前記端末情報取得手段により取得した前記カードＩＤの有効検査を行う有効検査手段と、
前記端末情報取得手段により取得した前記暗号化位置関連情報を復号化する復号化手段と、
前記復号化手段により提供する位置情報を取得して、該位置情報の提供に対する課金を行う課金手段と、
前記位置情報を前記発信固定端末に送信する位置情報提供手段と、を有することを特徴とする位置情報サービスシステム。
【請求項１５】
前記交換網は、
呼設定時に、前記発信固定端末のカードＩＤの認証結果を前記位置情報管理センタに送信する手段を含む請求項１４記載の位置情報サービスシステム。
【請求項１６】
通信手段を有する発信固定端末と、端末の通信手段間に呼を設定する交換網と、該交換網に接続され、該発信固定端末の所在を表す位置情報を要求元に提供する位置情報管理センタからなるシステムにおける位置情報サービス方法において、
前記発信固定端末において、
前記交換網により呼設定されると、位置関連情報を暗号化し、前記位置情報管理センタに送信し、
前記位置情報管理センタにおいて、
前記発信固定端末から取得した暗号化位置関連情報を復号化し、位置情報を取得して、該位置情報を該発信固定端末に送信し、
前記交換網において、
前記位置情報管理センタから該発信固定端末に位置情報が提供されると、該位置情報の提供に対する該発信固定端末への課金処理を行うことを特徴とする位置情報サービス方法。
【請求項１７】
通信手段を有する発信固定端末と、端末の通信手段間に呼を設定する交換網と、該交換網に接続され、該発信固定端末の所在を表す位置情報を要求元に提供する位置情報管理センタからなるシステムにおける位置情報サービス方法において、
前記発信固定端末において、
自装置にＩＣカードが挿入されると、該ＩＣカードのカードＩＤを取得して、前記交換網に送信し、
前記交換網において、
前記発信固定端末から取得した前記カードＩＤを認証して、認証結果を該発信固定端末に返却し、
前記交換網により呼が設定されると、前記発信固定端末において、位置関連情報を暗号化し、暗号化位置関連情報を生成し、認証済みのカードＩＤと共に前記位置情報管理センタに通知し、
前記位置情報管理センタにおいて、
前記発信固定端末から暗号化位置関連情報と前記認証済みのカードＩＤを取得すると、該カードＩＤの有効検査を行い、前記暗号化位置関連情報を復号化し、
位置情報を取得して、該位置情報の提供に対する課金処理を行い、
前記位置情報と前記課金処理により課金情報を前記発信固定端末に送信することを特徴とする位置情報サービス方法。
【請求項１８】
前記交換網の前記認証手段は、
呼設定時において、認証済みの前記カードＩＤを前記位置情報管理センタに送信する手段を含む請求項１７記載の位置情報サービス方法。
【請求項１９】
通信手段を有する発信固定端末と、端末の通信手段間に呼を設定する交換網と、該交換網に接続され、該発信固定端末の所在を表す位置情報を要求元に提供する位置情報管理センタからなるシステムにおいて、該発信固定端末に実行させる位置情報サービスプログラムを格納した記憶媒体であって、
前記交換網により呼設定されると、位置関連情報を暗号化する位置関連情報暗号化ステップと、
前記位置関連情報暗号化ステップにより暗号化された暗号化位置関連情報を前記位置情報管理センタに送信する通信ステップと、を前記発信固定端末に実行させるプログラムを格納したことを特徴とする位置情報サービスプログラムを格納した記憶媒体。
【請求項２０】
通信手段を有する発信固定端末と、端末の通信手段間に呼を設定する交換網と、該交換網に接続され、該発信固定端末の所在を表す位置情報を要求元に提供する位置情報管理センタからなるシステムにおいて、該発信固定端末に実行させる位置情報サービスプログラムを格納した記憶媒体であって、
自装置にＩＣカードが挿入されると、該ＩＣカードのカードＩＤを取得して、前記交換網に送信するＩＤ送信ステップと、
前記位置情報管理センタまたは、前記交換網から取得した課金情報に基づいて、前記ＩＣカードの金額情報を更新する課金更新ステップと、
前記交換網により呼設定されると、位置関連情報を暗号化する位置関連情報暗号化ステップと、
前記位置関連情報暗号化ステップにより暗号化された暗号化位置関連情報を前記位置情報管理センタに送信する通信ステップと、を前記発信固定端末に実行させるプログラムを格納したことを特徴とする位置情報サービスプログラムを格納した記憶媒体。
【請求項２１】
通信手段を有する発信固定端末と、該発信固定端末と接続される固定／移動着信端末と、端末間の通信手段間に呼を設定する交換網と、該交換網に接続され、該発信固定端末の所在を表す位置情報を要求元に提供する位置情報管理センタからなるシステムにおいて、該発信固定端末に実行させる位置情報サービスプログラムを格納した記憶媒体であって、
前記固定／移動着信端末の装置属性を発呼時に前記交換網に送信するステップと、
前記交換網により呼設定されると、位置関連情報を暗号化する位置関連情報暗号化ステップと、
前記位置関連情報暗号化ステップにより暗号化された暗号化位置関連情報を前記位置情報管理センタに送信する通信ステップと、
前記位置情報管理センタから位置情報を取得すると、前記固定／移動着信端末に送信する着信端末送信ステップと、を前記発信固定端末に実行させるプログラムを格納したことを特徴とする位置情報サービスプログラムを格納した記憶媒体。
【請求項２２】
通信手段を有する発信固定端末と、端末の通信手段間に呼を設定する交換網と、該交換網に接続され、該発信固定端末の所在を表す位置情報を要求元に提供する位置情報管理センタからなるシステムにおいて、該位置情報管理センタの装置に実行させる位置情報サービスプログラムを格納した記憶媒体であって、
前記発信固定端末から取得した暗号化位置関連情報を復号化する復号化ステップと、
提供する位置情報を取得して、該位置情報を前記発信固定端末に送信する位置情報提供ステップと、を前記位置情報管理センタの装置に実行させるプログラムを格納したことを特徴とする位置情報サービスプログラムを格納した記憶媒体。
【請求項２３】
通信手段を有する発信固定端末と、端末の通信手段間に呼を設定する交換網と、該交換網に接続され、該発信固定端末の所在を表す位置情報を要求元に提供する位置情報管理センタからなるシステムにおいて、該位置情報管理センタの装置に実行させる位置情報サービスプログラムを格納した記憶媒体であって、
前記発信固定端末から暗号化位置関連情報とカードＩＤを取得する端末情報取得ステップと、
前記端末情報取得ステップにより取得した前記カードＩＤの有効検査を行う有効検査ステップと、
前記端末情報取得ステップにより取得した前記暗号化位置関連情報を復号化する復号化ステップと、
提供する位置情報を取得して、該位置情報の提供に対する課金を行う課金ステップと、
前記位置情報を前記発信固定端末に送信する位置情報提供ステップと、を前記位置情報管理センタの装置に実行させるプログラムを格納したことを特徴とする位置情報サービスプログラムを格納した記憶媒体。
【発明の詳細な説明】
【０００１】
【発明の属する技術分野】
本発明は、公衆電話機位置情報利用システム及び方法及び公衆電話機位置情報利用プログラムを格納した記憶媒体、及び、位置情報サービスシステム及び方法及び位置情報サービスプログラムを格納した記憶媒体に係り、特に、公衆電話機における発呼者の位置情報提供及び位置情報提供時の課金やセキュリティの遂行にする際に、テレホンカードを利用した、タクシー配車・ロードサービス・迷子／徘徊老人探索・周辺情報案内等への位置情報提供サービス及び、それらへの課金処理に供される公衆電話機位置情報利用システム及び方法及び公衆電話機位置情報利用プログラムを格納した記憶媒体、及び、位置情報サービスシステム及び方法及び位置情報サービスプログラムを格納した記憶媒体にに関する。
【０００２】
【従来の技術】
従来の発呼端末の位置情報を提供するシステムにおいては、着呼端末で発信者番号通知機能により得た発呼端末の電話番号から位置情報を検索するか、発呼端末からの発呼を一度受けてから着呼端末に中継を行う中継サーバ内で、発呼端末の電話番号等から位置情報を検索して着呼端末に位置情報を提供する。
【０００３】
また、着呼者（位置情報受信者）の要求に応じた位置情報の提供と、位置情報の提供に対する課金を行う仕組みはない。
【０００４】
【発明が解決しようとする課題】
しかしながら、上記従来の着呼端末で位置情報を検索するシステムでは、発呼端末の電話番号が非公開・非通知の場合には、位置情報を検索するために電話番号を利用することができないという問題がある。
【０００５】
また、中継サーバで位置情報を検索するシステムでは、中継サーバには通信呼を中継する機能が必要であり、また、通話呼が２つ必要となる。
【０００６】
本発明は、上記の点に鑑みなされたもので、本発明の第１の目的は、発呼端末の電話番号が非公開・非通知に拘わらず、しかも中継サーバ等を介在させずに利用可能な公衆電話機位置情報利用システム及び方法及び公衆電話機位置情報利用プログラムを格納した記憶媒体を提供することである。
【０００７】
また、本発明の第２の目的は、電話番号が非公開・非通知の発呼端末からの通話において、発呼者の特別な操作を必要とせずに、着呼者に対して安価に位置情報を提供することが可能な公衆電話機位置情報利用システム及び方法及び公衆電話機位置情報利用プログラムを格納した記憶媒体を提供することである。
【０００８】
また、本発明の第３の目的は、発信者側や着信者に対して発信側の電話番号を秘匿すると共に、位置情報データの管理者が位置情報の利用者に対して課金を行うことが可能な位置情報サービスシステム及び方法及び位置情報サービスプログラムを格納した記憶媒体を提供することである。
【０００９】
【課題を解決するための手段】
図１は、本発明の第１の原理構成図である。
【００１０】
本発明は、通信回線網５を介して接続される公衆電話機１、及びサービスを該公衆電話機のユーザに提供するサービス装置２と、該サービス装置と接続され、位置情報を管理する位置情報管理センタ３からなる公衆電話位置情報利用システムであって、
公衆電話機１は、
発呼時に電話機のＩＤを毎回異なる一時的なＩＤ´に変換する変換手段１１と、通信回線網５を介してサービス装置に通知するサービス装置通知手段１２とを有し、
位置情報管理センタ３は、
サービス装置２からの依頼で、変換された一時的なＩＤ´から公衆電話機のＩＤに逆変換する逆変換手段３０１と、逆変換された該ＩＤを位置情報に変換し、サービス装置に送信する位置情報変換手段３０２とを有し、
サービス装置２は、
位置情報管理センタ３から取得した位置情報を利用したサービスを行うサービス提供手段２１を有する。
【００１１】
本発明は、通信回線網を介して接続される公衆電話機、及び、サービスを該公衆電話機のユーザに提供するサービス装置と、該サービス装置と接続され位置情報を管理する位置情報管理センタからなる公衆電話機位置情報利用システムであって、
公衆電話機は、
電話機内に蓄積された位置情報を毎回異なる一時的なビット列に変換する変換手段と、通信回線網を介し、サービス装置に通知するサービス装置通知手段とを有し、
位置情報管理センタは、
サービス装置からの依頼で、変換された一時的なビット列から公衆電話機の位置情報に逆変換し、サービス装置に送信する逆変換手段を有し、
サービス装置は、
位置情報管理センタから取得した位置情報を利用したサービスを行うサービス提供手段を有する。
【００１２】
本発明は、位置情報管理センタにおいて、
サービス装置に直接接続される逆変換ユニット装置に置き換えられる。
【００１３】
本発明は、公衆電話機において、
ユーザ識別情報やサービス種別や発呼先の情報等を蓄積するカードを挿入接続自在に形成し、該カードを接続することでサービス装置へ自動的に発呼及び位置情報の送信を行う手段を有し、
サービス装置は、
公衆電話機から送信された位置情報、カード内に蓄積されたユーザ識別情報やサービス種別等の情報を利用してサービスを行う手段を有する。
【００１４】
本発明は、通信回線網を介して接続される公衆電話機、及び、サービスを該公衆電話機のユーザに提供するサービス装置と、該サービス装置と接続され、位置情報を管理する位置情報管理センタからなるシステムにおける公衆電話機位置情報利用方法において、
公衆電話機において、
発呼時に電話機のＩＤを毎回異なる一時的なＩＤ´に変換し、通信回線網を介してサービス装置に通知し、
位置情報管理センタにおいて、
サービス装置からの依頼で、変換された一時的なＩＤ´から公衆電話機のＩＤに逆変換し、逆変換されたＩＤを位置情報に変換して、該サービス装置に送信し、
サービス装置において、
位置情報管理センタから得られた位置情報を利用して公衆電話機に対してサービスを提供する。
【００１５】
本発明は、通信網を介して接続される公衆電話機、及び、サービスを該公衆電話機のユーザに提供するサービス装置と、該サービス装置と接続され、位置情報を管理する位置情報管理センタからなるシステムにおける公衆電話機位置情報利用方法において、
公衆電話機において、
電話機内に蓄積された位置情報を毎回異なる一時的なビット列に変換し、通信回線網を介してサービス装置に通知し、
位置情報管理センタにおいて、
サービス装置からの依頼で、変換された一時的なビット列から公衆電話機の位置情報に逆変換して、サービス装置に送信し、
サービス装置において、
位置情報管理センタで逆変換された位置情報を利用して、サービスを提供する。
【００１６】
本発明は、一時的なビット列から公衆電話機の位置情報に逆変換する処理を、サービス装置に直接接続される逆変換ユニット装置に置き換える。
本発明は、公衆電話機において、
ユーザ識別情報やサービス種別や発呼先の情報等を蓄積するカードを挿入接続自在に形成し、該カードを接続することでサービス装置へ自動的に発呼及び位置情報を送信し、
サービス装置において、
公衆電話機から送信された位置情報、カード内に蓄積されたユーザ識別情報やサービス種別等の情報を利用してサービスを行う。
【００１７】
本発明は、通信回線網を介して接続される公衆電話機、及び、サービスを該公衆電話機のユーザに提供するサービス装置と、該サービス装置と接続され、位置情報を管理する位置情報管理センタからなる公衆電話位置情報利用システムにおいて、該公衆電話機に実行させる公衆電話位置情報利用プログラムを格納した記憶媒体であって、
発呼時に公衆電話機のＩＤを毎回異なる一時的なＩＤ´に変換する変換ステップと、
一時的なＩＤ´を通信回線網を介してサービス装置に通知するサービス装置通知ステップと、を有する。
【００１８】
本発明は、通信回線網を介して接続される公衆電話機、及び、サービスを該公衆電話機のユーザに提供するサービス装置と、該サービス装置と接続され、位置情報を管理する位置情報管理センタからなる公衆電話機位置情報利用システムにおいて、該公衆電話機に実行させる公衆電話機位置情報利用プログラムを格納した記憶媒体であって、
公衆電話機内に蓄積された位置情報を毎回異なる一時的なビット列に変換する変換ステップと、
一時的なビット列を前記通信回線網を介し、前記サービス装置に通知するサービス装置通知ステップと、を有する。
【００１９】
本発明は、通信回線網を介して接続される公衆電話機、及び、サービスを該公衆電話機のユーザに提供するサービス装置と、該サービス装置と接続され、位置情報を管理する位置情報管理センタからなる公衆電話機位置情報利用システムにおいて、該位置情報管理センタ装置に実行させる公衆電話機位置情報利用プログラムを格納した記憶媒体であって、
サービス装置からの依頼で、公衆電話機のＩＤから変換された毎回異なる一時的なＩＤ´から公衆電話機のＩＤに逆変換する逆変換ステップと、
ＩＤを位置情報に変換し、サービス装置に送信する位置情報変換ステップと、を有する。
【００２０】
本発明は、通信網を介して接続される公衆電話機、及び、サービスを該公衆電話機のユーザに提供するサービス装置と、該サービス装置に接続され、公衆電話機の位置情報を管理する位置情報管理センタからなる公衆電話機位置情報利用システムにおいて、該位置情報管理センタ装置に実行させる公衆電話機位置情報利用プログラムを格納した記憶媒体であって、
サービス装置からの依頼で、公衆電話機の位置情報から変換された毎回異なる一時的なビット列から公衆電話機の位置情報に逆変換し、サービス装置に送信する逆変換ステップを有する。
【００２１】
図２は、本発明の第２の原理構成図である。
【００２２】
本発明は、通信手段６１を有する発信固定端末６と、端末の通信手段間に呼を設定する交換網５と、該交換網５に接続され、該発信固定端末６の所在を表す位置情報を要求元に提供する位置情報管理センタ３からなる位置情報サービスシステムであって、
発信固定端末６は、
交換網５により呼設定されると、位置関連情報を暗号化する位置関連情報暗号化手段６２と、
位置関連情報暗号化手段６２により暗号化された暗号化位置関連情報を位置情報管理センタ３に送信する通信手段６１とを有し、
交換網５は、
位置情報管理センタ３と発信固定端末６との間に呼を設定し、該位置情報管理センタ３から該発信固定端末６に位置情報が提供されると、該位置情報の提供に対する該発信固定端末６への課金処理を行う課金手段５２を有し、
位置情報管理センタ３は、
発信固定端末６から取得した暗号化位置関連情報を復号化する復号化手段３１と、
復号化手段３１により提供する位置情報を取得して、該位置情報を発信固定端末６に送信する位置情報提供手段３２と、を有する。
【００２３】
本発明は、通信手段を有する発信固定端末と、端末の通信手段間に呼を設定する交換網と、該交換網に接続され、該発信固定端末の所在を表す位置情報を要求元に提供する位置情報管理センタからなる位置情報サービスシステムであって、
発信固定端末は、
自装置にＩＣカードが挿入されると、該ＩＣカードのカードＩＤを取得して、交換網に送信するＩＤ送信手段と、
課金情報に基づいて、ＩＣカードの金額情報を更新する課金更新手段と、
交換網より呼設定されると、位置関連情報を暗号化する位置関連情報暗号化手段と、
位置関連情報暗号化手段により暗号化された暗号化位置関連情報を位置情報管理センタに送信する通信手段とを有し、
交換網は、
位置情報管理センタと発信固定端末との間に呼を設定し、該発信固定端末からカードＩＤを取得すると、該カードＩＤに対する認証を行い、認証結果を該発信固定端末に返却する認証手段とを有し、
位置情報管理センタは、
発信固定端末から暗号化位置情報とカードＩＤを取得する端末情報取得手段と、
端末情報取得手段により取得したカードＩＤの有効検査を行う有効検査手段と、
端末情報取得手段により取得した暗号化位置関連情報を復号化する復号化手段と、
復号化手段により提供する位置情報を取得して、該位置情報の提供に対する課金を行う課金手段と、
位置情報を発信固定端末に送信する位置情報提供手段と、を有する。
【００２４】
本発明は、上記の交換網において、呼設定時に、発信固定端末のカードＩＤの認証結果を位置情報管理センタに送信する手段を含む。
【００２５】
本発明は、通信手段を有する発信固定端末と、端末の通信手段間に呼を設定する交換網と、該交換網に接続され、該発信固定端末の所在を表す位置情報を要求元に提供する位置情報管理センタからなるシステムにおける位置情報サービス方法において、
発信固定端末において、
交換網により呼設定されると、位置関連情報を暗号化し、位置情報管理センタに送信し、
位置情報管理センタにおいて、
発信固定端末から取得した暗号化位置関連情報を復号化し、位置情報を取得して、該位置情報を該発信固定端末に送信し、
交換網において、
位置情報管理センタから該発信固定端末に位置情報が提供されると、該位置情報の提供に対する該発信固定端末への課金処理を行う。
【００２６】
本発明は、通信手段を有する発信固定端末と、端末の通信手段間に呼を設定する交換網と、該交換網に接続され、該発信固定端末の所在を表す位置情報を要求元に提供する位置情報管理センタからなるシステムにおける位置情報サービス方法において、
発信固定端末において、
自装置にＩＣカードが挿入されると、該ＩＣカードのカードＩＤを取得して、交換網に送信し、
交換網において、
発信固定端末から取得したカードＩＤを認証して、認証結果を該発信固定端末に返却し、
交換網により呼が設定されると、発信固定端末において、位置関連情報を暗号化し、暗号化位置関連情報を生成し、認証済みのカードＩＤと共に位置情報管理センタに通知し、
位置情報管理センタにおいて、
発信固定端末から暗号化位置関連情報と認証済みのカードＩＤを取得すると、該カードＩＤの有効検査を行い、暗号化位置関連情報を復号化し、
位置情報を取得して、該位置情報の提供に対する課金処理を行い、
位置情報と課金処理により課金情報を発信固定端末に送信する。
【００２７】
本発明は、交換網の認証手段において、
呼設定時において、認証済みのカードＩＤを位置情報管理センタに送信する手段を含む。
【００２９】
本発明は、通信手段を有する発信固定端末と、端末の通信手段間に呼を設定する交換網と、該交換網に接続され、該発信固定端末の所在を表す位置情報を要求元に提供する位置情報管理センタからなるシステムにおいて、該発信固定端末に実行させる位置情報サービスプログラムを格納した記憶媒体であって、
交換網により呼設定されると、位置関連情報を暗号化する位置関連情報暗号化ステップと、
位置関連情報暗号化ステップにより暗号化された暗号化位置関連情報を位置情報管理センタに送信する通信ステップと、を発信固定端末に実行させるプログラムを格納する。
【００３０】
本発明は、通信手段を有する発信固定端末と、端末の通信手段間に呼を設定する交換網と、該交換網に接続され、該発信固定端末の所在を表す位置情報を要求元に提供する位置情報管理センタからなるシステムにおいて、該発信固定端末に実行させる位置情報サービスプログラムを格納した記憶媒体であって、
自装置にＩＣカードが挿入されると、該ＩＣカードのカードＩＤを取得して、交換網に送信するＩＤ送信ステップと、
位置情報管理センタまたは、交換網から取得した課金情報に基づいて、ＩＣカードの金額情報を更新する課金更新ステップと、
交換網により呼設定されると、位置関連情報を暗号化する位置関連情報暗号化ステップと、
位置関連情報暗号化ステップにより暗号化された暗号化位置関連情報を位置情報管理センタに送信する通信ステップと、を発信固定端末に実行させるプログラムを格納する。
【００３１】
本発明は、通信手段を有する発信固定端末と、該発信固定端末と接続される固定／移動着信端末と、端末間の通信手段間に呼を設定する交換網と、該交換網に接続され、該発信固定端末の所在を表す位置情報を要求元に提供する位置情報管理センタからなるシステムにおいて、該発信固定端末に実行させる位置情報サービスプログラムを格納した記憶媒体であって、
固定／移動着信端末の装置属性を発呼時に交換網に送信するステップと、
交換網により呼設定されると、位置関連情報を暗号化する位置関連情報暗号化ステップと、
位置関連情報暗号化ステップにより暗号化された暗号化位置関連情報を位置情報管理センタに送信する通信ステップと、
位置情報管理センタから位置情報を取得すると、固定／移動着信端末に送信する着信端末送信ステップと、を発信固定端末に実行させるプログラムを格納する。
【００３６】
本発明は、通信手段を有する発信固定端末と、端末の通信手段間に呼を設定する交換網と、該交換網に接続され、該発信固定端末の所在を表す位置情報を要求元に提供する位置情報管理センタからなるシステムにおいて、該位置情報管理センタの装置に実行させる位置情報サービスプログラムを格納した記憶媒体であって、
発信固定端末から取得した暗号化位置関連情報を復号化する復号化ステップと、
提供する位置情報を取得して、該位置情報を発信固定端末に送信する位置情報提供ステップと、を位置情報管理センタの装置に実行させるプログラムを格納する。
【００３７】
本発明は、通信手段を有する発信固定端末と、端末の通信手段間に呼を設定する交換網と、該交換網に接続され、該発信固定端末の所在を表す位置情報を要求元に提供する位置情報管理センタからなるシステムにおいて、該位置情報管理センタの装置に実行させる位置情報サービスプログラムを格納した記憶媒体であって、
発信固定端末から暗号化位置関連情報とカードＩＤを取得する端末情報取得ステップと、
端末情報取得ステップにより取得したカードＩＤの有効検査を行う有効検査ステップと、
端末情報取得ステップにより取得した暗号化位置関連情報を復号化する復号化ステップと、
提供する位置情報を取得して、該位置情報の提供に対する課金を行う課金ステップと、
位置情報を発信固定端末に送信する位置情報提供ステップと、を位置情報管理センタの装置に実行させるプログラムを格納する。
【００３８】
上記のように、本発明では、公衆電話機内に位置情報に関連付けられるデータを蓄え、発呼時に電話機から着呼端末であるサービス装置に直接位置情報に関連付けられるデータを送付し、当該サービス装置は位置情報管理センタを用いて位置情報に関連付けされるデータから位置情報に変換するため、通信回線網からの発信者番号通知や中継サーバを使わないで位置情報を得ることが可能となる。
【００３９】
また、公衆電話機からＩＤを送付する際には、ＩＤから１回限りの鍵を用いた暗号化で１回限りのＩＤ’を生成し、ＩＤ’をサービス装置に送付する。当該サービス装置では、位置情報管理センタにＩＤ’から位置情報に変換するよう要求し、当該位置情報管理センタでは、ＩＤ’からＩＤに復号化を行った後、ＩＤから位置情報を検索してサービス装置に位置情報を返すことで、着呼端末である当該サービス装置に位置情報を提供することが可能となる。
【００４０】
あるいは、公衆電話機から位置情報を送付する際には、位置情報から１回限りの鍵を用いた暗号化で１回限りのビット列を生成し、ビット列をサービス装置に送付する。当該サービス装置では、位置情報管理センタにビット列から位置情報に変換するよう要求し、当該位置情報管理センタでは、ビット列から位置情報に復号化して、サービス装置に位置情報を返すことで、着呼端末である当該サービス装置に位置情報を供与することが可能となる。
【００４１】
また、位置情報サービスシステムでは、発信側（公衆電話機）の電話番号が発信者または、着信者に対して秘匿されると共に、位置情報（サービス）の提供に対する課金が可能となる。
【００４２】
また、位置情報を格納する位置情報データベースに、ユーザが保持するカード等の認証機能を持たせることがないため、コストダウンが可能である。
【００４３】
また、カードの認証機能を交換網、または、位置情報管理センタに持たせることにより、セキュリティを保持できる。
【００４４】
【発明の実施の形態】
本発明は、公衆電話機に蓄えられているＩＤまたは、位置情報をサービス装置に暗号化して送付し、当該サービス装置が位置情報管理センタに対して復号化を依頼することで、電話番号が非公開・非通知の公衆電話機からの通話において、サービス装置に対して位置情報の提供を行い、サービス装置による位置情報を使用したサービス提供を可能にするものである。
【００４５】
さらに、位置情報を使用したサービスの利用時に、発信端末（利用者）に対する課金を可能にするものである。
【００４６】
【実施例】
以下、図面と共に、本発明の実施例を説明する。
【００４７】
以下の実施例において、第１の実施例から第４の実施例については、位置情報を提供するシステムについて説明し、第５の実施例以降は、課金システムについて説明するものである。
【００４８】
［第１の実施例］
図３は、本発明の第１の実施例のシステム構成を示す。
【００４９】
同図に示す電話機ＩＤ１ａと固定鍵１ｂを蓄積する公衆電話機１とサービス装置２と位置情報ＤＢ３ａを有する位置情報管理センタ３から構成される。
【００５０】
同図中、Ｎは交換機Ｍを有する公衆電話回線網などの通信回線網である。
【００５１】
図４は、本発明の第１の実施例のシステムにおけるシーケンスチャートであり、以下、シーケンスチャートに沿って本システムの動作を説明する。
【００５２】
まず、位置情報を知らせるユーザが“サービス装置へ発呼”で公衆電話機１から着呼端末であるサービス装置２へ発呼を行う（ステップ１０１）と、公衆電話機１では、“使い捨て鍵の生成”で１回限りの暗号化鍵を生成し（ステップ１０２）、“使い捨て鍵でＩＤを暗号化”で公衆電話機１に蓄積されている電話機１固有のＤ電話機ＩＤ１ａを、生成された暗号化鍵を用いた共通鍵暗号方式で暗号化を行い（ステップ１０３）、また、“使い捨て鍵を固定鍵で暗号化”では生成した暗号化鍵を公衆電話機１に蓄積されている固定鍵１ｂで暗号化する（ステップ１０４）。
【００５３】
公衆電話機１とサービス装置２が接続されると、暗号化された電話機１固有の電話機ＩＤ１ａである“暗号化ＩＤ’”と暗号化された生成した暗号化鍵である“暗号化使い捨て鍵”をサービス装置２に送付する（ステップ１０５）。
【００５４】
サービス装置２で“暗号化ＩＤ’”及び、“暗号化使い捨て鍵”を受け取ると、“位置情報管理センタへ接続”で位置情報管理センタ３に接続し（ステップ１０６）、“位置情報要求：暗号化ＩＤ’、暗号化使い捨てに”で“暗号化ＩＤ’”及び、“暗号化使い捨て鍵”共に、位置情報管理センタ３に送付し（ステップ１０７）、位置情報を要求する。サービス装置２と位置情報管理センタ３の接続は、専用線、Internet経由、電話回線等何でもよく、特に限定しない。
【００５５】
位置情報管理センタ３では、サービス装置２より位置情報を要求されると、“使い捨て鍵を固定鍵で復号化”で公衆電話機１で生成された暗号化鍵を固定鍵で復号化する（ステップ１０８）。
【００５６】
ここで、公衆電話機１で生成された暗号化鍵の暗号化方式は、共通鍵暗号化方式・公開鍵暗号方式のどちらでもよく、共通鍵暗号化方式の場合には、固定鍵１ｂは共通鍵となり、公開鍵暗号化方式の場合には、公衆電話機１側の固定鍵１ｂは公開鍵で、位置情報管理センタ３側の固定鍵は秘密鍵となる。
【００５７】
また、生成する暗号化鍵を公衆電話機１側と位置情報管理センタ３側で同期の取れた時計などを使用した鍵としてもよく、この場合、“使い捨て鍵を固定鍵で暗号化”及び“暗号化使い捨て鍵”の送付、及び、“使い捨て鍵を固定鍵で復号化”が必要ない。
【００５８】
公衆電話機１で生成された暗号化鍵の復号化が終わると、位置情報管理センタ３では、“使い捨て鍵でＩＤ’を復号化”で、復号化された暗号化鍵を用いて電話機１固有の電話機ＩＤ１ａの復号化を行う（ステップ１０９）。
【００５９】
また、公衆電話機１固有のＩＤ１ａの復号化が終わると、“ＩＤに対応する位置情報を検索”で、位置情報管理センタ３では、位置情報ＤＢ３ａを用いて電話機ＩＤ１ａに対応する位置情報の検索を行い（ステップ１１０）、検索された位置情報をサービス装置２に送信する（ステップ１１１）。
【００６０】
サービス装置２では、位置情報管理センタ３より位置情報を取得すると、“位置情報を利用したサービス生成”で位置情報を地図や音声などに変換するなど、サービスを提供できる形式に変換する（ステップ１１２）。
【００６１】
ここで、サービスの具体的な例としては、発呼者に位置情報を利用したサービスを提供する場合においては、道案内、店舗検索サービス等が考えられ、この場合、サービス生成は周辺地図の作成や案内用音声の作成などであり、着呼者が位置情報を利用する場合においては、発呼者の位置を知るための地図の表示等がある。
【００６２】
サービスが生成されると、必要に応じて“音声通話、位置情報利用サービス通信”で、公衆電話機１とサービス装置２間での、音声通話や位置情報を利用したサービスのための通信が行われる（ステップ１１３）。
【００６３】
ここで、提供される位置情報について説明する。位置情報としては、緯度・経度、住所、郵便番号、特定の位置データをコード化したもの、ビル名、階数、部屋番号等のカスタマイズ情報のいずれか１つ以上のものからなるフレームデータである。
【００６４】
［第２の実施例］
図５は、本発明の第２の実施例のシステム構成を示す。
【００６５】
同図において、位置情報１ａ’と固定鍵１ｂを蓄積する公衆電話機１とサービス装置２と位置情報管理センタ３から構成される。同図中、Ｎは、前述の第１の実施例と同様に同じ通信回線網である。
【００６６】
図６は、本発明の第２の実施例のシステムにおけるシーケンスチャートであり、以下、シーケンスチャートに沿って本実施例の動作を説明する。
【００６７】
まず、位置情報１ａ’を知らせるユーザが“サービス装置へ発呼”で公衆電話機１から着呼端末であるサービス装置２へ発呼を行う（ステップ２０１）と、公衆電話機１では、“使い捨て鍵の生成”で１回限りの暗号化鍵を生成し（ステップ２０２）、“使い捨て鍵で位置情報を暗号化”で公衆電話機１に蓄積されている公衆電話機１の位置情報１ａ’を、生成された暗号化鍵を用いた共通鍵暗号方式で暗号化を行い（ステップ２０３）、また、“使い捨て鍵を固定鍵で暗号化”では生成した暗号化鍵を公衆電話機１に蓄積されている固定鍵で暗号化する（ステップ２０４）。
【００６８】
公衆電話機１とサービス装置２が接続されると、暗号化された公衆電話機１の位置情報１ａ’である“暗号化位置情報”と暗号化されて生成した暗号化鍵である“暗号使い捨て鍵”とをサービス装置２に送付する（ステップ２０５）。
【００６９】
サービス装置２で“暗号化位置情報”及び“暗号化使い捨て鍵”を受け取ると、“位置情報管理センタへ接続”で位置情報管理センタ３に接続し（ステップ２０６）、“位置情報要求：暗号化位置情報，暗号化使い捨て鍵”で“暗号化位置情報”及び“暗号化使い捨て鍵”共に位置情報管理センタ３に送付し（ステップ２０７）、位置情報１ａ’を要求する。サービス装置２と位置情報管理センタ３の接続は、専用線、Internet経由、電話回線等なんでもよく、特に限定しない。位置情報管理センタ３では、サービス装置２より位置情報１ａ’を要求されると、“使い捨て鍵を固定鍵で復号“”で公衆電話機１で生成された暗号化鍵を固定鍵で復号する（ステップ２０８）。
【００７０】
公衆電話機１で生成された暗号化鍵の復号化が終わると、位置情報管理センタ３では、“使い捨て鍵で位置情報を復号化”で、復号化された暗号化鍵を用いて公衆電話機１の位置情報１ａ’の復号化を行い（ステップ２０９）、位置情報１ａ’をサービス装置２に送信する（ステップ２１０）。
【００７１】
サービス装置２で位置情報１ａ’が得られた以降のステップ２１１、ステップ２１２は、前述の第１の実施例のステップ１１２とステップ１１３と同様である。
【００７２】
［第３の実施例］
図７は、本発明の第３の実施例のシステム構成を示す。
【００７３】
同図に示すシステムは、位置情報１ａ’と固定鍵１ｂを蓄積する公衆電話機１とサービス装置２に直接接続された逆変換ユニット装置４から構成される。
【００７４】
同図中、Ｎは、前述の第１、第２の実施例と同様に通信回線網である。
【００７５】
図８は、本発明の第３の実施例のシステムにおけるメッセージのシーケンスチャートであり、以下、同図のシーケンスチャートに沿って本実施例の動作を説明する。
【００７６】
まず、位置情報１ａ’を知らせるユーザが“サービス装置へ発呼”で公衆電話機１から着呼端末であるサービス装置２へ発呼を行う（ステップ３０１）と、公衆電話機１では、“使い捨て鍵の生成”で１回限りの暗号化鍵を生成し（ステップ３０２）、“使い捨て鍵で位置情報を暗号化”で公衆電話機１に蓄積されている電話機１の位置情報１ａ’を生成された暗号化鍵を用いた共通鍵暗号方式で暗号化を行い（ステップ３０３）、また、“使い捨て鍵を固定鍵で暗号化”では生成した暗号化鍵を公衆電話機１に蓄積されている固定鍵１ｂで暗号化する（ステップ３０４）。
【００７７】
公衆電話機１とサービス装置２が接続されると、“暗号化位置情報，暗号化使い捨て鍵”で暗号化された公衆電話機１の位置情報１ａ’である“暗号化位置情報”と暗号化されて生成した暗号化鍵である“暗号化使い捨て鍵”をサービス装置２に送付する（ステップ３０５）。
【００７８】
サービス装置２で“暗号化位置情報”及び“暗号化使い捨て鍵”を受け取ると、“暗号化位置情報”及び“暗号化使い捨て鍵”を逆変換ユニット装置４に渡し（ステップ３０６）、位置情報１ａ’の復号化を行う。
【００７９】
逆変換ユニット４では、“暗号化位置情報”及び“暗号化使い捨て鍵”が渡されると、“使い捨て鍵を固定鍵で復号化”で公衆電話機１で生成された暗号化鍵を固定鍵で復号化し（ステップ３０７）、“使い捨て鍵で位置情報を復号化”で、復号化された暗号化鍵を用いて公衆電話機１の位置情報１ａ’の復号化を行い（ステップ３０８）、位置情報１ａ’をサービス装置２に渡す（ステップ３０９）。
【００８０】
サービス装置２で位置情報１ａ’が得られた以降のステップ３１０、ステップ３１１は、前述の第１の実施例のステップ１１２、ステップ１１３と同様である。
【００８１】
［第４の実施例］
図９は、本発明の第４の実施例のシステム構成を示す。
【００８２】
同図に示すシステムは、電話機ＩＤ１ａと固定鍵１ｂを蓄積すると共にカードαを挿入接続自在に形成された公衆電話機１とサービス装置と位置情報ＤＢ３ａを持つ位置情報管理センタ３から構成される。ここで、カードαとは、ＩＣカードや磁気カード等を含むものとする。
【００８３】
同図中、Ｎは、前述の第１の実施例と同様の通信回線網である。
【００８４】
図１０は、本発明の第４の実施例のシステムにおけるシーケンスチャートであり、以下、同図のシーケンスチャートに沿って本実施例の動作を説明する。
【００８５】
まず、位置情報を知らせるユーザが“電話機へカード挿入”で、カードαを公衆電話機１に挿入する（ステップ４０１）と、“発呼先番号，ユーザＩＤ”でサービス装置２の電話番号である発呼先番号とユーザＩＤがカードから公衆電話機１に読み出される（ステップ４０２）。
【００８６】
公衆電話機１では、“サービス装置へ発呼”で、読み出した発呼先番号をつかい着呼端末であるサービス装置２へ発呼を行う（ステップ４０３）と、“使い捨て鍵の生成”で１回限りの暗号化鍵を生成し（ステップ４０４）、“使い捨て鍵でＩＤを暗号化”で公衆電話機１に記憶されている電話機１固有の電話機ＩＤ１ａを生成された暗号化鍵を用いて共通鍵暗号方式で暗号化を行い（ステップ４０５）、また、“使い捨て鍵を固定鍵で暗号化”では生成した暗号化鍵を公衆電話機１に記憶されている固定鍵１ｂで暗号化する（ステップ４０６）。
【００８７】
公衆電話機１とサービス装置２が接続されると、カードαから読み出した“ユーザＩＤ”と、暗号化された公衆電話機１固有の電話機ＩＤ１ａである“暗号化ＩＤ’”と、暗号化された暗号化鍵である“暗号化使い捨て鍵”をサービス装置２に送付する（ステップ４０７）。
【００８８】
サービス装置２で“ユーザＩＤ”及び“暗号化ＩＤ’”及び、“暗号化使い捨て鍵”を受け取ると、“位置情報管理センタへ接続”で位置情報管理センタ３に接続し（ステップ４０８）、“位置情報要求：暗号化ＩＤ，暗号化使い捨て鍵”で“暗号化ＩＤ’”及び“暗号化使い捨て鍵”を位置情報管理センタ３に送付し（ステップ４０９）、位置情報を要求する。サービス装置２と位置情報管理センタ３の接続は、専用線、Internet経由、電話回線等なんでもよく、特に限定しない。
【００８９】
位置情報管理センタ３でのステップ４１０からステップ４１３は、前述の第１の実施例のステップ１０８〜ステップ１１１と同様の動作を行い、位置情報をサービス装置２に送信する。
【００９０】
サービス装置２では、位置情報管理センタ３より位置情報が得られると、“ユーザＩＤ、位置情報を利用したサービス生成”で位置情報を地図や音声などに変換するなど、サービスを行える形に変換する（ステップ４１４）。
【００９１】
ここで、サービスの具体的な例としては、道案内、店舗検索サービス等、発呼者に位置情報を利用したサービスを提供する場合においては、サービス生成は周辺地図の作成や案内用音声の作成などである。
【００９２】
着呼者が、位置情報を用いてサービス生成を行う際は、ユーザＩＤをインデックスとして用いた顧客情報検索や、サービス端末において発呼者の位置を知るための地図の表示等である。
【００９３】
問い合わせてくる第三者へ発呼者の位置情報を提供するサービスにおける、サービス生成は、ユーザＩＤと位置情報をデータベースに登録しておくことにより、問い合わせに備えることができる。
【００９４】
迷子・徘徊老人等を想定したカード保有者自身の居場所通知サービスである時には、サービス生成は、ユーザＩＤに対応させて保護者の通知先を設定しておき、様々なメディアで位置情報を通知することができる。
【００９５】
サービスが生成されると、必要に応じて“音声通話、位置情報利用サービス通信”で、公衆電話機１とサービス装置２間での音声通話や位置情報を利用したサービスのための通信が行われる。
【００９６】
［第５の実施例］
以下の実施例では、発信端末に対して課金を行う例を説明する。
【００９７】
また、発信端末において保持し、位置情報管理センタに送信する装置固有の位置情報を「位置関連情報」と呼び、位置情報管理センタから渡される情報を「位置情報」と呼ぶ。
【００９８】
本実施例では、交換網において発信端末に課金する例を説明する。
【００９９】
図１１は、本発明の第５の実施例のシステム構成を示す。同図に示すシステムは、交換網５、当該交換網５に接続される発信端末６及び位置情報管理センタ３から構成される。
【０１００】
発信端末６は、通信部６１、暗号化位置関連情報生成部６２、位置情報取得部６３、及びカード内容更新部６４から構成され、カード内容更新部６４には、プリペイドカード等のカード７が挿入されるものとする。なお、発信端末６では、位置情報と暗号化のためのマスター鍵を隠匿して保持（発信端末側で直接ハンドリング不可）し、発信時に位置情報を暗号化して暗号化位置関連情報として送信する。
【０１０１】
通信部６１は、交換網５に対して発呼し、位置情報管理センタ３との間に呼接続を行い、データを送受信を行う。このとき、位置関連情報を位置情報管理センタ３に送信する場合には、ＵＵＩによるＤチャネルを用い、一方、位置情報管理センタ３から位置情報を取得する場合には、Ｂチャネルを用いるものとする。
【０１０２】
暗号化位置関連情報生成部６２は、自装置の電話番号、機種番号等の設置位置に関連する情報を自装置内に保持しているマスター鍵を用いて暗号化する。暗号化の方式は、前述の第１から第４の実施例に示した方式を用いるものとする。
【０１０３】
位置情報取得部６３は、通信部６１を介して位置情報管理センタ３から転送された位置情報を取得し、利用する。
【０１０４】
カード内容更新部６４は、通信部６１を介して交換網から取得した課金情報に基づいてカード７の内容（金額情報）を更新する。カード７がプリペイドカードである場合には、当該カードの残金から課金された金額を減算して書き込む。
【０１０５】
交換網５は、呼設定部５１と課金部５２から構成される。当該交換網５は、情報料代行課金サービス（例えば、ＮＴＴ．ダイヤルＱ２）を行う機能と、ユーザ間の情報伝送を行う機能を有する交換機を用いるものとする。また、位置情報管理センタ３の電話番号を情報料代行課金サービスの対象として登録してあり、課金金額も登録されているものとする。
【０１０６】
呼設定部５１は、発信端末６からの発呼要求に対して、位置情報管理センタ３との間に呼設定を行う。
【０１０７】
課金部５２は、呼設定に伴って、位置情報管理センタ３から転送される情報量に対する課金を発信端末６に対して行う。
【０１０８】
位置情報管理センタ３は、位置関連情報復号化部３１と位置情報提供部３２から構成される。
【０１０９】
位置関連情報復号化部３１は、発信端末６から転送される暗号化位置関連情報を当該装置内に保持されているマスター鍵を用いて復号化する。当該復号化の方式は、前述の第１の実施例から第４の実施例に記載した暗号化位置情報を復号化する方法を適用するものとする。
【０１１０】
位置情報提供部３２は、復号化された位置情報に基づいて位置情報を発信端末６に対して提供する。
【０１１１】
図１２は、本発明の第５の実施例のシステムにおけるシーケンスチャートである。
【０１１２】
カード７が発信端末６に挿入（セット）されると（ステップ５０１）、発信端末６は、交換網５に対して発呼する（ステップ５０２）。このための操作は、位置情報管理センタ３の電話番号をダイヤルする（位置情報管理センタアクセス用オートダイヤルカード等による自動ダイヤルを用いてもよい）。これにより、交換網５の呼設定部５１は、位置情報管理センタ３との間に呼設定を行う（ステップ５０３）。
【０１１３】
発信端末６は、自装置に関する位置関連情報を暗号化して、位置情報管理センタ３に対して当該暗号化位置関連情報を送信する（ステップ５０４）。暗号化は、マスタ鍵を使って位置関連情報を暗号化する。また、送信時は、位置情報管理センタ３に発呼して、ＩＳＤＮであればセットアップ時にＵＵＩで送信が可能であり、ＩＳＤＮ以外であればモデム信号、ＤＴＭＦ信号、アウトチャンネル（音声帯域外）通信などで送信するものとする。なお、ワンタイム暗号化で暗号化したワーク鍵を送信する必要がある場合には併せて送信する。
【０１１４】
位置情報管理センタ３は、暗号化位置関連情報を取得すると、交換網５に応答信号を返却し、取り出した暗号化位置関連情報の復号化を行い（ステップ５０５）、位置情報を発信端末６に対して送信する（ステップ５０６）。この後発信端末からの応答が返されると、呼の切断を行う。
【０１１５】
交換網５の課金部５２において、位置情報提供に対する課金を行い、当該課金情報を発信端末６に送信する（ステップ５０７）。
【０１１６】
発信端末６の位置情報取得部６３は、通信部６１を介して位置情報を取得すると共に、交換網５からの課金情報を取得してカード内容更新部６４において、カード７の残高より課金された金額を減算し（ステップ５０８）、カードの残高を更新し、カード７に書き込む（ステップ５０９）。
【０１１７】
これにより、発信端末において位置情報の利用時の課金が可能となると共に、発信端末が公衆電話機のように当該電話機の電話番号を秘匿する必要がある場合に、自動的に暗号化位置関連情報を生成して、位置情報管理センタに送信するため、利用者に対して電話番号を秘匿することができる。
【０１１８】
［第６の実施例］
本実施例では、前述の第５の実施例の交換網５において、発信端末６のカードに対する認証を行い、課金処理を位置情報管理センタ３において行う例を説明する。
【０１１９】
図１３は、本発明の第６の実施例のシステム構成を示す。同図に示すシステムにおいて、発信端末６において、前述の図１１と異なる点は、発信端末６に挿入（セット）されるカードがプリペイドカードやクレジットカード等をＩＣカードとしたものである。
【０１２０】
交換網５では、本実施例では、課金処理を行わず、当該ＩＣカード７を認証するためのカードＩＤ認証部５３を設ける。
【０１２１】
位置情報管理センタ３では、ＩＣカード７のカードＩＤを検証するためのＩＤ検証部３３、課金部３４及びカードＩＤ、提供する情報料及び度数を記憶するＩＤ／情報量記憶部３５を設ける。
【０１２２】
図１４は、本発明の第６の実施例のシステムにおけるシーケンスチャートである。同図に従って、本実施例のシステムにおける動作を説明する。
【０１２３】
まず、プリペイドカードやクレジットカード等のＩＣカード７が発信端末６に挿入（セット）されると（ステップ６０１）、発信端末６は、交換網５に対して発呼する（ステップ６０２）。さらに、発信端末６は、挿入されているカード７らカードＩＤを読み取り（ステップ６０３）、当該カードＩＤを交換網５に送信する（ステップ６０４）。
【０１２４】
交換網５は、発信端末６から取得したカードＩＤについて、カードＩＤ認証部５３で認証を行う（ステップ６０５）。認証の方法については後述する。交換網５は、認証結果を発信端末６に返却すると共に（ステップ６０６）、位置情報管理センタ３と発信端末６との間に呼設定する（ステップ６０７）。
【０１２５】
発信端末６は、暗号化位置関連情報及びカードＩＤを位置情報管理センタ３に送信する（ステップ６０８）。これにより、位置情報管理センタ３では、ＩＤ／情報料度数記憶部３５の内容を参照してカードＩＤの有効検査を行う（ステップ６０９）。さらに、暗号化位置関連情報を位置関連情報復号化部３１でを復号化し（ステップ６１０）、課金部３４において提供する位置情報に対する課金処理を行い（ステップ６１１）、位置情報提供部３２から位置情報を発信端末６に送信する（ステップ６１２）。
【０１２６】
発信端末６では、位置情報管理センタ３から位置情報と共に、課金情報を取得すると、カード内容更新部６４では、当該課金情報に基づいてＩＣカード７の内容を書き替える（ステップ６１３）。
【０１２７】
ここで、上記のステップ６０５におけるカードＩＤ認証について説明する。
【０１２８】
図１５は、本発明の第６の実施例における交換網によるカード認証動作を説明するための図である。
【０１２９】
交換網５では、発信端末からカードＩＤを取得すると（ステップ７０２）、乱数発生関数を用いて乱数を生成し（ステップ７０３）、記憶すると共に当該乱数を発信端末６に送信する（ステップ７０４）。発信端末６では、ＩＤカードのＩＤに対応して秘匿保持されるデータと、送信された乱数を入力として、交換網５と同じ一方向性関数（ＭＤ５等）を用いてレスポンスデータを生成し（ステップ５）、当該レスポンスデータを交換網５に送信する（ステップ７０７）。交換網５においても発信端末６と同様の方法によりレスポンスデータを生成する（ステップ７０６）。交換網５では、発信端末６から取得したレスポンスデータと交換網５自体で生成したレスポンスデータとを比較し、同一であれば、認証成功とし、異なるものであれば認証失敗とする検証を行う（ステップ７０８）。交換網５は、認証結果を発信端末６に返却する（ステップ７０９）。
【０１３０】
［第７の実施例］
本実施例では、カード認証を位置情報管理センタ３で行う例を説明する。
【０１３１】
図１６は、本発明の第７の実施例のシステム構成を示す。同図に示すシステムにおいて、交換網５は、呼設定部５１のみ有し、位置情報管理センタ３では、前述の第６の実施例のシステム構成に、カードＩＤ認証部３６を付加した構成であり、カードＩＤ認証部３６は、第６の実施例の交換網５が有していたカードＩＤ認証部５３と同様の機能を有する。
【０１３２】
図１７は、本発明の第７の実施例のシステムにおけるシーケンスチャートである。
【０１３３】
まず、プリペイドカードやクレジットカード等のＩＣカード７が発信端末６に挿入（セット）されると（ステップ９０１）、発信端末６は、交換網５に対して発呼する（ステップ９０２）。交換網５は、発信端末６と位置情報管理センタ３との間に呼設定を行う（ステップ９０３）。
【０１３４】
発信端末６は、暗号化位置関連情報を生成し、位置情報管理センタ３に送信する（ステップ９０４）。さらに、発信端末６は、ＩＣカード７の内容を読み取り、カードＩＤを位置情報管理センタ３に送信する（ステップ９０５）。
【０１３５】
位置情報管理センタ３は、取得したカードＩＤについて認証を行い（ステップ９０６）、認証結果を発信端末６に返却する（ステップ９０７）。さらに、位置情報管理センタ３は、ＩＤの有効検査を行い（ステップ９０８）、ＩＤが有効であれば、暗号化位置関連情報の復号化を行い（ステップ９０９）、提供する位置情報を取得し、当該位置情報の提供に対する課金処理を行う（ステップ９１０）。位置情報と課金情報を発信端末６に送信する（ステップ９１１）。発信端末６は、位置情報を取得すると共に、課金情報に基づいてＩＣカードの金額情報を更新する（ステップ９１２）。
【０１３６】
［第８の実施例］
本実施例では、発信端末６において、着信端末８への接続前に位置情報管理センタ３に位置関連情報を送信し、位置情報を取得し、当該位置情報を着信端末８に送付する例を説明する。
【０１３７】
図１８は、本発明の第８の実施例のシステム構成を示す。
【０１３８】
同図に示すシステムは、図１１に示すシステムの発信端末６に着信端末８が付加された構成である。着信端末８は、通常の電話機機能に加え、交換網５から送られてくる位置情報を受け取り、表示する機能（ディスプレイ等）を有するものとする。また、交換網５は、ユーザ間の情報伝送を行う機能を持つ。
【０１３９】
図１９は、本発明の第８の実施例のシステムにおけるシーケンスチャートである。同図に沿って本実施例の動作を説明する。
【０１４０】
ＩＣカード７を発信端末６に挿入（セット）し（ステップ１００１）、発信端末６から交換網５に発呼する（ステップ１００２）。このとき、発信端末６は、着信端末８の装置属性情報も合わせて送信するものとする。交換網５では、着信端末属性に基づいて、課金部５２において課金し（ステップ１００３）、その後、発信端末６と位置情報管理センタ３との間に呼設定を行う（ステップ１００４）。発信端末６は、暗号化位置関連情報を位置情報管理センタ３に送信し（ステップ１００５）、位置情報管理センタ３では、当該暗号化位置関連情報を復号化し（ステップ１００６）、位置情報を発信端末６に送信する（ステップ１００７）。発信端末６は、再度、交換網５に対して発呼し（ステップ１００８）、交換網５において、発信端末６と着信端末８との間に呼設定する（ステップ１００９）。これにより、発信端末６は、取得した位置情報を着信端末８に送信する（ステップ１０１０）。発信端末６または、着信端末８のいずれかから切断要求があった場合に切断処理が行われる。
【０１４１】
なお、本実施例は、１台の発信端末、１台の着信端末の例として説明したが、複数台の端末がそれぞれ接続された構成であっても同様である。
【０１４２】
なお、本実施例において、前述の第６〜第８の示すカードＩＤの認証や、ＩＤの有効検査を行うようにしてもよい。
【０１４３】
また、発信者端末、位置情報管理センタの装置、サービス装置及び交換網の装置毎に上記の実施例に示されるシーケンスチャートの各ステップをプログラムとして構築し、それぞれの装置に接続されるディスク装置や、フロッピーディスク、ＣＤ−ＲＯＭ等の可搬記憶媒体、または、装置に内蔵されるメモリにインストールすることにより、容易に本発明を実現できる。
【０１４４】
以上、本発明の代表的な実施例を説明したが、本発明は、上記の実施例に限定されることなく、特許請求の範囲内において、種々変更・応用が可能である。
【０１４５】
【発明の効果】
上述のように、本発明によれば、公衆電話機内に位置情報に関連付けられるデータを蓄積しておき、発呼時に公衆電話機から着呼端末であるサービス装置に直接位置情報に関連付けられるデータを送付することにより、電話番号が非公開・非通知の公衆電話機からの通話において位置情報の提供が可能となる。また、中継サーバを使用せずに位置情報を取得することにより一つの通話呼で位置情報を得ることができる。
【０１４６】
しかも、公衆電話機からＩＤを送付する際にはＩＤを１回限りのＩＤ’として送付するため、ＩＤと位置情報の組み合わせがサービス装置に漏洩することなく、位置情報管理センタでのデータの一元管理を行うことが可能となり、位置情報管理センタからサービス装置に対して課金可能な位置情報の提供が可能となる。また、公衆電話機から位置情報を送付する際には、位置情報を１回限りのビット列として送付しているため、位置情報管理センタで復号化することで、位置情報管理センタからサービス装置に対して課金可能な位置情報の提供が可能である。
【０１４７】
さらに、位置情報サービス専用のテレホンカードを使用することで、着呼者に自動で発呼及び位置情報の提供が可能であると共に、サービス装置からカード内に記憶されている位置情報以外の発呼者情報を読み取ることで、サービス装置において位置情報と発呼者情報を組み合わせたサービスが可能となる等の効果を奏する。
【０１４８】
さらに、本発明では、利用者に提供した位置情報に対する課金を、発呼毎に発信者に対して行うことができる。
【図面の簡単な説明】
【図１】  本発明の第１の原理構成図である。
【図２】  本発明の第２の原理構成図である。
【図３】  本発明の第１の実施例のシステム構成図である。
【図４】  本発明の第１の実施例のシステムにおけるシーケンスチャートである。
【図５】  本発明の第２の実施例のシステム構成図である。
【図６】  本発明の第２の実施例のシステムにおけるシーケンスチャートである。
【図７】  本発明の第３の実施例のシステム構成図である。
【図８】  本発明の第３の実施例のシステムにおけるシーケンスチャートである。
【図９】  本発明の第４の実施例のシステム構成図である。
【図１０】  本発明の第４の実施例のシステムにおけるシーケンスチャートである。
【図１１】  本発明の第５の実施例のシステム構成図である。
【図１２】  本発明の第５の実施例のシステムにおけるシーケンスチャートである。
【図１３】  本発明の第６の実施例のシステム構成図である。
【図１４】  本発明の第６の実施例のシステムにおけるシーケンスチャートである。
【図１５】  本発明の第６の実施例における交換網によるカード認証動作を説明するための図である。
【図１６】  本発明の第７の実施例のシステム構成図である。
【図１７】  本発明の第７の実施例のシステムにおけるシーケンスチャートである。
【図１８】  本発明の第８の実施例のシステム構成図である。
【図１９】  本発明の第８の実施例のシステムにおけるシーケンスチャートである。
【符号の説明】
１  公衆電話機
１ａ  電話機ＩＤ
１ａ´  位置情報
１ｂ  固定鍵
２  サービス装置
３  位置情報管理センタ
３ａ  位置情報ＤＢ
４  逆変換ユニット装置
５  通信回線網、交換網
６  発信固定端末、固定端末
７  ＩＣカード
８  固定／移動着信端末
１１  変換手段
１２  サービス装置通知手段
２１  サービス提供手段
３１  復号化手段、位置関連情報復号化部
３２  位置情報提供手段、位置情報提供部
３３  ＩＤ検証部
３４  課金部
３５  ＩＤ／情報料度数記憶部
３６  カードＩＤ認証部
５１  呼設定部
５２  課金手段
５３  カードＩＤ認証部
６１  通信手段、通信部
６２  位置関連情報暗号化手段、暗号化位置関連情報性生成部
６３  位置情報取得部
６４  カード内容更新部
３０１  逆変換手段
３０２  位置情報変換手段
【図１】
0003724324.tif 000002
【図２】
0003724324.tif 000003
【図３】
0003724324.tif 000004
【図４】
0003724324.tif 000005
【図５】
0003724324.tif 000006
【図６】
0003724324.tif 000007
【図７】
0003724324.tif 000008
【図８】
0003724324.tif 000009
【図９】
0003724324.tif 000010
【図１０】
0003724324.tif 000011
【図１１】
0003724324.tif 000012
【図１２】
0003724324.tif 000013
【図１３】
0003724324.tif 000014
【図１４】
0003724324.tif 000015
【図１５】
0003724324.tif 000016
【図１６】
0003724324.tif 000017
【図１７】
0003724324.tif 000018
【図１８】
0003724324.tif 000019
【図１９】
0003724324.tif 000020